(57)【要約】【課題】  センサの設置や各種機器を不要にすることができる機器診断補助装置を提供する。【解決手段】  点検対象の確認場所から音を取得する聴音部２１と、聴音部２１が一端に設けられていると共にこの聴音部２１が取得した取得音を他端に伝える棒部２２と、棒部２２の他端に設けられていると共にこの他端の取得音を出力するヘッドフォン部２３とを備える。【選択図】  図１
2014032147.tif 000002
【特許請求の範囲】
【請求項１】
点検対象の確認場所から音を取得する聴音部と、
前記聴音部が一端に設けられていると共にこの聴音部が取得した取得音を他端に伝える棒部と、
前記棒部の他端に設けられていると共にこの他端の取得音を出力するヘッドフォン部と、
を備えることを特徴とする機器診断補助装置。
【請求項２】
前記棒部の他端に設けられていると共にこの他端の取得音を電気信号に変換するマイクと、
前記マイクが電気信号に変換した取得音信号を録音する録音手段と、
を備えることを特徴とする請求項１に記載の機器診断補助装置。
【請求項３】
前記点検対象の各確認場所の位置情報を取得する位置取得手段を備え、
前記録音手段は、前記点検対象の各確認場所であらかじめ取得した取得音を、取得音信号としてあらかじめ録音し、
前記ヘッドフォン部は、前記位置取得手段から位置情報を得ると、この位置情報に対応した取得音信号を再生する指示を前記録音手段に送り、この後、前記録音手段から再生された取得音信号を受け取ると、この取得音信号により取得音を出力する、
ことを特徴とする請求項２に記載の機器診断補助装置。
【発明の詳細な説明】
【技術分野】
【０００１】
この発明は、保守業務で使用される機器診断補助装置に関する。
【背景技術】
【０００２】
保守業務には電力会社の発電所および変電所で行われるものがある。発電所および変電所には、発電装置や変圧器等の各種の電力設備が設置されている。発変電所の保守業務で行われる電力設備の機器の点検には、機器を停止してデータ測定により判定するものと、外観検査により良否を判定するものの２通りがある。日常の点検は、定期的な巡視の中で行われる外観点検であり、この巡視点検では、目視以外にも異音等の異常確認が行われる。
【０００３】
しかし、巡視点検の精度が電力設備の設置環境に左右されるケースがある。例えば、水力発電所の機器などで他の機器の雑音が多い場所での異音の確認が該当する。また、設置状況によっては、機器に巡視者が顔を近づけることが出来ず、聴覚の働きを十分に活用しにくい場合もある。
【０００４】
こうした点を解消するために、振動を検出してデータ化することで、異常を検出する装置がある（例えば、特許文献１参照。）。この装置は、診断対象の振動を振動センサにより検出し、信号変換器、伝送線路、受信器、信号切換器を介して、検出出力をコントローラに伝送する。コントローラは、診断対象の振動状態を基に振動アクチュエータの振動板を振動させる。このとき、作業者が手で振動板に触れることで、診断対象の振動の状態を作業者が感知する。
【先行技術文献】
【特許文献】
【０００５】
【特許文献１】特開平１１−８３５６１号公報
【発明の概要】
【発明が解決しようとする課題】
【０００６】
しかし、先に述べた診断装置には次の課題がある。この診断装置により診断を行う場合には、振動センサを診断対象に設置する必要がある。また、この診断装置では、振動センサの他にも、信号変換器、伝送線路、受信器、信号切換器等の各種の機器を必要とする。
【０００７】
この発明の目的は、前記の課題を解決し、センサの設置や各種機器を不要にすることができる機器診断補助装置を提供することにある。
【課題を解決するための手段】
【０００８】
前記の課題を解決するために、請求項１の発明は、点検対象の確認場所から音を取得する聴音部と、前記聴音部が一端に設けられていると共にこの聴音部が取得した取得音を他端に伝える棒部と、前記棒部の他端に設けられていると共にこの他端の取得音を出力するヘッドフォン部と、を備えることを特徴とする機器診断補助装置である。
【０００９】
請求項１の発明では、例えば電気設備のような点検対象を点検する場合には、作業者が機器診断補助装置の聴音部を点検対象の確認場所に当てる。これにより、聴音部は点検対象の確認場所から音を取得する。聴音部が取得した取得音を棒部がヘッドフォン部に伝えると、ヘッドフォン部は取得音を出力する。
【００１０】
請求項２の発明は、請求項１に記載の機器診断補助装置において、前記棒部の他端に設けられていると共にこの他端の取得音を電気信号に変換するマイクと、前記マイクが電気信号に変換した取得音信号を録音する録音手段と、を備えることを特徴とする。
【００１１】
請求項３の発明は、請求項２に記載の機器診断補助装置において、前記点検対象の各確認場所の位置情報を取得する位置取得手段を備え、前記録音手段は、前記点検対象の各確認場所であらかじめ取得した取得音を、取得音信号としてあらかじめ録音し、前記ヘッドフォン部は、前記位置取得手段から位置情報を得ると、この位置情報に対応した取得音信号を再生する指示を前記録音手段に送り、この後、前記録音手段から再生された取得音信号を受け取ると、この取得音信号により取得音を出力する、ことを特徴とする。
【発明の効果】
【００１２】
請求項１の発明によれば、例えば電気設備のような点検対象に対する日常の巡視の中で、点検対象の確認場所に聴音部を当てるだけで、ヘッドフォン部から取得音が出力されるので、この点検対象の異常発見・異常判定を、取得音により人が容易に行うことを可能にする。また、この発明によれば、例えば信号変換器、伝送線路、受信器、信号切換器等の各種の機器やセンサの設置を不要にすることができる。
【００１３】
請求項２の発明によれば、聴音部が取得した取得音を棒状の棒部が伝えるので、周囲の雑音をカットした状態で、取得音を録音手段に録音することができる。
【００１４】
請求項３の発明によれば、例えば健全な状態の取得音を事前に録音手段に録音し、点検時には、点検対象から得た取得音と、録音手段から得た取得音とを比較することで、早期に点検対象の異常を発見することができる。
【図面の簡単な説明】
【００１５】
【図１】実施の形態１による機器診断補助装置を示す正面図である。
【図２】ＩＣタグの一例を示す構成図である。
【図３】聴音部の一例を示す斜視図である。
【図４】棒部の一例を示す断面図である。
【図５】読取り器の一例を示す構成図である。
【図６】制御装置の一例を示す構成図である。
【図７】制御部の一例を示す構成図である。
【図８】ＩＣタグの貼り付けの様子を説明する図である。
【図９】実施の形態２による機器診断補助装置を示す正面図である。
【図１０】実施の形態２による制御装置の一例を示す構成図である。
【図１１】実施の形態３による機器診断補助装置を示す正面図である。
【図１２】実施の形態３による制御装置の一例を示す構成図である。
【発明を実施するための形態】
【００１６】
次に、この発明の各実施の形態について、図面を用いて詳しく説明する。
【００１７】
（実施の形態１）
この実施の形態による機器診断補助装置を図１に示す。この機器診断補助装置は、電力会社の発変電所に設置されている電力設備の機器の点検等の際に、作業者による設備診断で用いられるものであり、作業者の聴覚を補助するものである。図１の機器診断補助装置は、点検対象である電力設備の機器、例えば送油風冷式変圧器１００（以下、単に「変圧器１００」とする）の確認場所に貼り付けられているＩＣタグ１０と、作業者に用いられる聴診装置２０とを備えている。さらに、聴診装置２０は、聴音部２１と、棒部２２と、ヘッドフォン部２３と、読取り器２４と、ＩＣレコーダ２５とを備えている。なお、以下では、点検対象である電力設備として、変圧器１００を例として説明する。
【００１８】
ＩＣタグ１０は、点検の際に変圧器１００を確認する場所に、あらかじめ貼り付けられている。ＩＣタグ１０は、図２に示すように、アンテナ１１と制御部１２とを備えている。アンテナ１１は読取り器２４から送信される電磁界を受信する。そして、アンテナ１１は、受信した電磁界の電力を制御部１２に供給する。制御部１２は半導体集積回路で形成されている。こうした制御部１２はメモリ機能を持ち、変圧器１００の確認場所を識別するための位置情報である場所番号をあらかじめ記憶している。アンテナ１１から電磁界による電力供給を受けると動作し、記憶している場所番号を読み出し、この場所番号をアンテナ１１から電磁界で送信する。
【００１９】
聴診装置２０の聴音部２１（図１）は、点検対象である変圧器１００の確認場所で発生する音を取得する。このために、聴音部２１は、確認場所に対して密着性の良い材料、例えばシリコン素材のような柔軟性がある材料で作られている。具体的には、図３に示すように、円板形状の円板部分２１Ａと、円板部分２１Ａの中央部から突出した突出部分２１Ｂとで形成されている。円板部分２１Ａは確認場所に密着して音を取得する。突出部分２１Ｂには、棒部２２の先端が取り付けられている。突出部分２１Ｂは円板部分２１Ａに一体的に形成されているので、突出部分２１Ｂの棒部２２は、円板部分２１Ａに対して、矢印Ａや矢印Ｂで示すように各方向に、角度を変えることができる。突出部分２１Ｂは、円板部分２１Ａが取得した音を、取得音として棒部２２に伝える。
【００２０】
聴診装置２０の棒部２２（図１）は、作業者によって把持される部分であり、Ｎ本のパイプ２２Ａ〜２２Ｎで形成される、伸縮可能な棒状体である。棒部２２の伸縮の様子を図４に示す。なお、図４では、棒部２２の先端部を形成するパイプ２２Ａ、２２Ｂ、２２Ｃを取り出した様子を示している。パイプ２２Ａの先端つまり一端には、聴音部２１が固定されている。パイプ２２Ａの他端には、外側に突出した突出部分が設けられている。パイプ２２Ａの突出部分は、パイプ２２Ｂの一端の内側に配置されている。パイプ２２Ｂの一端は、閉じるように内側に曲げ加工されている。つまり、パイプ２２Ａの突出部分がパイプ２２Ｂの内壁に接しながら動き、かつ、パイプ２２Ｂの曲げ加工部分がパイプ２２Ａの外壁に接しながら動くので、パイプ２２Ａとパイプ２２Ｂとにより、伸縮が可能になる。かつ、パイプ２２Ａの突出部分とパイプ２２Ｂの曲げ加工部分とにより、パイプ２２Ａがパイプ２２Ｂから外れることを防いでいる。
【００２１】
残りのパイプ２２Ｃ〜２２Ｎに付いても同様の構造であるので、これらの説明を省略する。
【００２２】
こうした構造の棒部２２（図１）は、Ｎ本のパイプ２２Ａ〜２２Ｎが互いに接しながら伸縮する。これにより、作業者が聴診装置２０を使用する場所に応じて、棒部２２が伸縮される。さらに、各パイプの曲げ加工部分が隣接するパイプの外壁に接しながら動くので、パイプ２２Ａの一端に固定されている聴音部２１が取得した取得音を、パイプ２２Ｂ〜２２Ｍがパイプ２２Ｎまで伝えている。
【００２３】
聴診装置２０の読取り器２４（図１）は、変圧器１００のＩＣタグ１０から場所番号を読み出すための装置である。つまり、読取り器２４は、ＩＣタグ１０に記録されている位置情報を調べるためのものである。このために、読取り器２４は、棒部２２の一端つまり聴音部２１側に取り付けられている。そして、読取り器２４は、図５に示すように、アンテナ２４Ａと読取り部２４Ｂと通信部２４Ｃと電源部２４Ｄとを備えている。
【００２４】
読取り器２４の電源部２４Ｄは、直流電源を読取り部２４Ｂと通信部２４Ｃに供給する。電源部２４Ｄは、バッテリー等から直流電源を得ている。
【００２５】
読取り器２４の通信部２４Ｃは、赤外線や無線等により、ヘッドフォン部２３と各種データの送受信を行う。つまり、通信部２４Ｃは、ヘッドフォン部２３から、赤外線や無線等で読取り指示信号を受信すると、この信号を電気信号に変換し、変換した読取り指示信号を読取り部２４Ｂに送る。また、通信部２４Ｃは、読取り部２４Ｂから読取り結果である場所番号を受け取ると、この場所番号を赤外線や無線等でヘッドフォン部２３に送信する。この場所番号は、ＩＣタグ１０が貼り付けられている位置を表す位置情報である。
【００２６】
読取り器２４の読取り部２４Ｂは、通信部２４Ｃを経てヘッドフォン部２３から読取り指示信号を受け取ると読取り処理を行う。つまり、読取り部２４Ｂは、変圧器１００のＩＣタグ１０から場所番号を読み出すための電磁界を、アンテナ２４Ａから送信する。読取り部２４Ｂは、電磁界の送信後に、ＩＣタグ１０から電磁界により場所番号を受信すると、受信した場所番号を応答信号とする。そして、読取り部２４Ｂは、通信部２４Ｃを制御して応答信号をヘッドフォン部２３に送信する。
【００２７】
聴診装置２０のＩＣレコーダ２５（図１）は、内部に備えるメモリ（図示を省略）に、音のファイルを記録し、メモリに記録されている音のファイルを再生する装置である。また、ＩＣレコーダ２５は、リモコン（図示を省略）で動作するリモコン機能を持つ。このリモコン機能により、ＩＣレコーダ２５は、再生音の大きさを調節する音量調節機能、再生時のファイルの頭出しをする、つまりファイルを選択する選択機能、録音の開始と停止とを行う録音機能を持つ。この実施の形態では、ＩＣレコーダ２５は、変圧器１００のＩＣタグ１０が貼り付けられている確認場所を含む各確認場所で録音した音であり、変圧器１００が正常動作をしているときの取得音を、それぞれ異なる番号（以下、「ファイル番号」という）のファイルとしてメモリに記録している。
【００２８】
ヘッドフォン部２３から録音指示信号がリモコン端子に加えられると、ＩＣレコーダ２５は、録音端子に加えられている信号、この実施の形態では後述する取得音信号を録音する。そして、リモコン端子に録音停止信号が加えられると、ＩＣレコーダ２５は、取得音信号の録音を停止する。また、ヘッドフォン部２３からファイル番号を指定した再生指示信号がリモコン端子に加えられると、ＩＣレコーダ２５は、該当する番号のファイルを再生し、再生音信号を出力端子からヘッドフォン部２３に送る。このとき、音量調節指示があると、ＩＣレコーダ２５は指示に応じた大きさの再生音信号を送る。リモコン端子に再生停止信号が加えられると、ＩＣレコーダ２５は、再生音信号の出力を停止する。
【００２９】
聴診装置２０のヘッドフォン部２３（図１）は、聴音部２１が取得して、棒部２２が伝えた取得音や変圧器１００が正常であるときの取得音を、作業者の耳に出力し、また、棒部２２からの取得音を録音する。このために、ヘッドフォン部２３は、制御装置２３Ａとヘッドフォン２３Ｂとを備えている。
【００３０】
ヘッドフォン部２３のヘッドフォン２３Ｂ（図１）は、ケーブル２３Ｂ１が制御装置２３Ａに接続されて、ヘッド部分２３Ｂ２が作業者に装着されて用いられる。ヘッドフォン２３Ｂは、制御装置２３Ａから出力される取得音信号や再生音信号を、取得音や再生音に変換し、変換した取得音や再生音を作業者に出力する。このために、ヘッドフォン２３Ｂは、ヘッド部分２３Ｂ２に小型のスピーカ（図示を省略）を備えている。
【００３１】
ヘッドフォン部２３の制御装置２３Ａ（図１）は、棒部２２のパイプ２２Ｎの他端に固定されている箱型のカバー２３Ａ１を備えている。カバー２３Ａ１の内側には、図６に示すように、マイク２３Ａ２と、通信部２３Ａ３と、制御部２３Ａ４と操作部２３Ａ５とを備えている。カバー２３Ａ１は、これらの装置を収納すると共に外部からの音を遮断する機能を持つ。なお、図６では、図面の都合上、通信部２３Ａ３や制御部２３Ａ４に対して、バッテリー等による電源を供給する電源部の記載を省略している。
【００３２】
制御装置２３Ａのマイク２３Ａ２は、棒部２２のパイプ２２Ｎを伝わって来る取得音を電気信号に変換し、変換した取得音信号を制御部２３Ａ４に送る。
【００３３】
制御装置２３Ａの通信部２３Ａ３は、読取り器２４の通信部２４Ｃと通信を行う。つまり、通信部２３Ａ３は、制御部２３Ａ４から読取り指示信号を受け取ると、この信号を赤外線や無線等で読取り器２４に送信する。また、通信部２３Ａ３は、読取り器２４から赤外線や無線等で応答信号を受信すると、この信号を電気信号に変換し、変換した応答信号を制御部２３Ａ４に送る。
【００３４】
制御装置２３Ａの操作部２３Ａ５は、操作ボタン（図示を省略）を備え、作業者に操作される入力装置である。操作部２３Ａ５は、操作ボタンの操作結果を表す指示信号を制御部２３Ａ４に出力する。操作ボタンの操作により、操作部２３Ａ５は、録音や音比較の指示を表す録音指示信号や音比較指示信号を出力する。また、必要に応じて音量調整の操作ボタンが操作されると、操作部２３Ａ５は音量調整指示信号を出力する。
【００３５】
制御装置２３Ａの制御部２３Ａ４は、聴診装置２０に関係する制御を行う。このために、制御部２３Ａ４は、図７に示すように、コントローラ２３Ａ４１と、スイッチ２３Ａ４２、２３Ａ４４と、増幅器２３Ａ４３とを備えている。
【００３６】
制御部２３Ａ４のスイッチ２３Ａ４２は、コントローラ２３Ａ４１の制御によって、マイク２３Ａ２からの取得音信号を、増幅器２３Ａ４３に送るか、または、ＩＣレコーダ２５に送るかを切り替える。
【００３７】
制御部２３Ａ４の増幅器２３Ａ４３は、スイッチ２３Ａ４２から送られて来る取得音信号を、ヘッドフォン２３Ｂのスピーカ（図示を省略）を駆動するために必要なレベルに増幅する。そして、増幅器２３Ａ４３は、増幅した取得音信号をスイッチ２３Ａ４４に送る。
【００３８】
制御部２３Ａ４のスイッチ２３Ａ４４は、コントローラ２３Ａ４１の制御によって、増幅器２３Ａ４３からの取得音信号をヘッドフォン２３Ｂに送るか、または、ＩＣレコーダ２５からの再生音信号をヘッドフォン２３Ｂに送るかを切り替える。
【００３９】
制御部２３Ａ４のコントローラ２３Ａ４１は、マイクロコントローラのような制御用の半導体回路である。コントローラ２３Ａ４１は、ＩＣタグ１０の場所番号と、ＩＣレコーダ２５が記録しているファイルの番号との対応関係を、変換テーブルとして記録している。
【００４０】
コントローラ２３Ａ４１は、操作部２３Ａ５からの指示信号を受け取ると、この信号に応じてスイッチ２３Ａ４２、２３Ａ４４を制御する。このために、コントローラ２３Ａ４１は、スイッチ２３Ａ４２、２３Ａ４４と接続され、さらに、ＩＣレコーダ２５のリモコン端子に接続されている。
【００４１】
そして、コントローラ２３Ａ４１は、例えば操作部２３Ａ５から録音を表す録音指示信号を受け取ると、録音処理を行う。つまり、コントローラ２３Ａ４１は、録音を表す録音指示信号を、ＩＣレコーダ２５のリモコン端子に送る。同時に、コントローラ２３Ａ４１は、スイッチ２３Ａ４２を切り替えて、マイク２３Ａ２からの取得音信号を、ＩＣレコーダ２５の録音端子に出力する。この後、所定時間が経過すると、コントローラ２３Ａ４１は、録音停止信号をＩＣレコーダ２５のリモコン端子に送り、録音処理を終了する。
【００４２】
また、コントローラ２３Ａ４１は、操作部２３Ａ５から音比較指示信号を受け取ると、音比較処理を行う。つまり、コントローラ２３Ａ４１は、通信部２３Ａ３から応答信号を受け取り、この応答信号が表す場所番号を調べる。場所番号を調べると、コントローラ２３Ａ４１は、変換テーブルを参照し、先に調べた場所番号に対応するファイル番号を調べる。ファイル番号を調べると、コントローラ２３Ａ４１は、ファイル番号を指定した再生指示信号をＩＣレコーダ２５のリモコン端子に送る。同時に、コントローラ２３Ａ４１は、スイッチ２３Ａ４４を切り替えて、ＩＣレコーダ２５からの再生音信号をヘッドフォン２３Ｂに出力する。この後、所定時間が経過すると、コントローラ２３Ａ４１は、スイッチ２３Ａ４２とスイッチ２３Ａ４４とを切り替えて、増幅器２３Ａ４３を経て来るマイク２３Ａ２からの取得音信号を、ヘッドフォン２３Ｂに出力する。このとき、操作部２３Ａ５から音量調節指示信号を受け取ると、コントローラ２３Ａ４１は、この音量調節指示信号をＩＣレコーダ２５のリモコン端子に送る。スイッチ２３Ａ４２、２３Ａ４４を切り替えてから、さらに所定時間が経過すると、コントローラ２３Ａ４１は、再生停止信号をＩＣレコーダ２５のリモコン端子に送り、音比較処理を終了する。
【００４３】
次に、この実施の形態による機器診断補助装置の使い方について説明する。機器診断補助装置の聴診装置２０を使う前に、機器診断補助装置のＩＣタグ１０を点検対象に貼り付ける作業が行われる。例えば点検対象が図８に示す変圧器１００である場合、変圧器１００の各確認場所（黒丸で示した場所）Ａ１〜Ａ３にＩＣタグ１０を作業者が貼り付けておく。なお、変圧器１００は、先に述べたように、送油風冷式変圧器である。
【００４４】
確認場所Ａ１は、作業者の背丈に比べて同じ様な位置にある。確認場所Ａ１では、ベース１０１の上に取り付けられていると共に巻線１０２が収納されているタンク１０３の表面に対して、ＩＣタグ１０が貼り付けられている。タンク１０３内には、コンサベータ１０４からの油が接続弁１０５を経て充満している。確認場所Ａ２は、作業者の背丈に比べて高く狭い位置にある。確認場所Ａ２では、放熱器弁１０６と上部油配管１０７を経て油が流れ込む冷却器１０８に対して、ＩＣタグ１０が貼り付けられている。冷却器１０８は、冷却扇１０９で空気の流れを生成し、冷却器１０８に流れ込む油を冷やしている。確認場所Ａ３は、作業者の背丈に比べて低く狭い位置にある。確認場所Ａ３では、上部油配管１０７の油を冷却器１０８に流すための送ポンプ１１０に対して、ＩＣタグ１０が貼り付けられている。
【００４５】
こうした状態の場合に、機器診断補助装置の聴診装置２０を用いて作業者が変圧器１００の点検等を行うとき、この作業者は、聴診装置２０のヘッドフォン部２３のヘッドフォン２３Ｂを頭に装着し、聴診装置２０の棒部２２を手に持つ。この後、作業者は、変圧器１００の例えば確認場所Ａ２に向い、棒部２２を延ばし、棒部２２の先端に設けられている聴音部２１を確認場所Ａ２に当てる。聴音部２１は柔軟性のあるシリコン素材で作られているので、作業者は、斜め方向から聴音部２１を確認場所Ａ２に当てても、聴音部２１が確認場所Ａ２に密着して、取得した音を棒部２２に伝える。これにより、聴音部２１と棒部２２とは、周囲の雑音を防いで、確認場所Ａ２で発生する音を伝える。
【００４６】
この後、作業者は、聴診装置２０の制御装置２３Ａの操作部２３Ａ５を操作して、音比較の指示を入力する。これにより、聴診装置２０のコントローラ２３Ａ４１は音比較処理を行う。つまり、聴診装置２０のコントローラ２３Ａ４１は、確認場所Ａ２のＩＣタグ１０から場所番号を読み出し、この場所番号に対応するファイル番号を調べる。この後、聴診装置２０のコントローラ２３Ａ４１は、確認場所Ａ２に対応して、あらかじめＩＣレコーダ２５に記録されている音のファイルによる再生音と、棒部２２を伝わってきた音とを、交互にヘッドフォン２３Ｂから出力する。これにより、変圧器１００が正常なときに確認場所Ａ２で発生する音と、現在の変圧器１００の確認場所Ａ２で発生する音とを比較して、作業者は、変圧器１００の状態を判定する。
【００４７】
この後、必要に応じて、作業者が操作部２３Ａ５を操作して録音指示を入力すると、コントローラ２３Ａ４１は録音処理を行う。これにより、聴診装置２０は、現在の変圧器１００の確認場所Ａ２で発生する音をＩＣレコーダ２５に録音する。
【００４８】
こうして、この実施の形態によれば、聴診装置２０を用いて点検対象の音を取得して聞くので、振動センサ等の設置や、各種機器を不要にすることができる。また、この実施の形態によれば、高い位置や狭い位置でも、作業者が耳を近づけることなく、確認場所の音を確認することができる。また、この実施の形態によれば、聴診装置２０の聴音部２１が確認場所に密着し、かつ、聴音部２１が取得した取得音を棒状の棒部２２が伝えるので、周囲の雑音をカットし、音による診断の効果を向上させることができる。また、この実施の形態によれば、事前にＩＣタグ１０を点検対象に貼り付け、健全な状態での変圧器１００の音を事前にＩＣレコーダ２５に録音して比較することで、早期に点検対象の異常を発見することができる。さらに、この実施の形態によれば、聴診装置２０の聴音部２１が確認場所に密着し、かつ、聴音部２１が取得した取得音を棒状の棒部２２が伝えるので、周囲の雑音をカットした状態で、異常音をＩＣレコーダ２５に録音することが可能である。
【００４９】
なお、この実施の形態では、ＩＣタグ１０と読取り器２４とにより、聴音部２１の位置情報を得ているが、位置情報を得る方法はこれに限定されることはない。例えば、読取り器２４の代わりにＧＰＳ（Ｇｌｏｂａｌ  Ｐｏｓｉｔｉｏｎｉｎｇ  Ｓｙｓｔｅｍ）装置を用いる方法も可能である。この場合、ＧＰＳ装置は、読み取った位置情報である経度および緯度をヘッドフォン部２３に送る。ヘッドフォン部２３のコントローラ２３Ａ４１は、確認場所の経度および緯度と、ＩＣレコーダ２５が記録しているファイルの番号との対応関係を、変換テーブルとしてあらかじめ記録している。これにより、ＩＣタグ１０と読取り器２４とを用いた場合と同じように、確認場所に応じた再生音を出力することができる。
【００５０】
（実施の形態２）
この実施の形態では、図９に示すように、実施の形態１のＩＣタグ１０と聴診装置２０のＩＣレコーダ２５を省略した簡易型の聴診装置２０を、機器診断補助装置としている。なお、この実施の形態では、先に説明した実施の形態１と同一もしくは同一と見なされる構成要素には、それと同じ参照符号を付けて、その説明を省略する。
【００５１】
この実施の形態による制御装置２３Ａは、実施の形態１の制御部２３Ａ４の代わりに、図１０に示すように、増幅部２３Ａ６を用いている。増幅部２３Ａ６は、マイク２３Ａ２からの取得音信号を増幅し、増幅した取得音信号をヘッドフォン２３Ｂに送る。
【００５２】
こうして、この実施の形態によれば、高い位置や狭い位置で、作業者が耳を近づけなくても、確認場所の音を確認することができる。また、この実施の形態によれば、聴診装置２０の聴音部２１が確認場所に密着し、かつ、聴音部２１が取得した取得音を棒状の棒部２２が伝えるので、周囲の雑音をカットし、音による診断の効果を向上させることができる。
【００５３】
（実施の形態３）
この実施の形態では、図１１に示すように、実施の形態２の聴診装置２０をさらに簡略化した聴診装置２０を、機器診断補助装置としている。なお、この実施の形態では、先に説明した実施の形態１と同一もしくは同一と見なされる構成要素には、それと同じ参照符号を付けて、その説明を省略する。
【００５４】
この実施の形態では、ヘッドフォン部２３の制御装置２３Ａは、図１２に示すように、カバー２３Ａ１の内部にマイク２３Ａ２を備えているだけである。マイク２３Ａ２は、取得音信号をＩＣレコーダ２５の録音端子に送る。
【００５５】
また、この実施の形態では、実施の形態１および実施の形態２のヘッドフォン２３Ｂの代わりに、ヘッドフォン２３Ｃ（図１１）を備えている。ヘッドフォン２３Ｃは、棒部２２を伝わってくる取得音を、フレキシブルな管状の管部２３Ｃ１の一端で取得して、ヘッド部２３Ｃ２に取り付けられている他端から出力する。
【００５６】
この実施の形態によれば、聴診装置２０の棒部２２を伝わってくる音をヘッドフォン２３Ｃが取得し、ヘッド部２３Ｃ２に伝えるので、ヘッド部２３Ｃ２にスピーカ等を不要にし、構造を簡単化することができる。また、この実施の形態によれば、実施の形態２と同様に、高い位置や狭い位置であって、作業者が耳を近づけなくても、確認場所の音を確認することができる。また、この実施の形態によれば、聴診装置２０の聴音部２１が確認場所に密着し、かつ、聴音部２１が取得した取得音を棒状の棒部２２が伝えるので、周囲の雑音をカットし、音による診断の効果を向上させることができる。
【符号の説明】
【００５７】
１０  ＩＣタグ（位置取得手段）
２０  聴診装置
２１  聴音部
２２  棒部
２３  ヘッドフォン部
２３Ａ  制御装置（制御手段）
２３Ａ１  カバー
２３Ａ２  マイク
２３Ａ３  通信部
２３Ａ４  制御部
２３Ｂ  ヘッドフォン
２４  読取り器（位置取得手段）
２４Ａ  アンテナ
２４Ｂ  読取り部
２４Ｃ  通信部
２５  ＩＣレコーダ（録音手段）
【図１】
2014032147.tif 000003
【図２】
2014032147.tif 000004
【図３】
2014032147.tif 000005
【図４】
2014032147.tif 000006
【図５】
2014032147.tif 000007
【図６】
2014032147.tif 000008
【図７】
2014032147.tif 000009
【図８】
2014032147.tif 000010
【図９】
2014032147.tif 000011
【図１０】
2014032147.tif 000012
【図１１】
2014032147.tif 000013
【図１２】
2014032147.tif 000014